【事件の表示】
　特許第２９０６６６０号「照明制御システム」の請求項１に係る特許に対する特許異議の申立てについて、次のとおり決定する。
【結　論】
　特許第２９０６６６０号の請求項１に係る特許を取り消す。
【理　由】
（１）手続の経緯
　本件特許第２９０６６６０号の請求項１に係る発明は、平成２年１１月３０日の出願であって、平成１１年４月２日にその発明について特許の設定登録がなされ、その後、その特許について、松下電工株式会社より特許異議の申立がなされ、取消理由の通知がなされ、その指定期間内である平成１２年５月１５日に訂正請求がなされた後、訂正拒絶理由が通知され、平成１２年１１月２１日に意見書が提出されたものである。
　
（２）訂正の適否
ア．訂正明細書の請求項１に係る発明
　訂正明細書の請求項１に係る発明は、その特許請求の範囲に記載された次の事項により特定されるとおりのものである。
「主操作盤に伝送線を介して少なくとも照明制御用端末器が接続され、この照明制御用端末器には照明負荷が接続された複数の回路が接続され、上記伝送線に接続される壁スイッチにより上記複数の回路のうち上記壁スイッチに割り付けられた回路に接続された照明負荷の点灯／消灯を制御可能な照明制御システムにおいて、上記主操作盤は、上記壁スイッチに設けられた動作モニタの点灯／消灯状態を記憶する記憶手段と、上記記憶手段により壁スイッチの動作モニタが点灯状態である場合には、上記壁スイッチに割り付けられた回路がすべて消灯しているかを判定する消灯判定手段と、上記記憶手段により壁スイッチの動作モニタが消灯状熊である場合には、上記壁スイッチに割り付けられた回路がすべて点灯しているかを判定する点灯判定手段と、上記消灯判定手段により上記壁スイッチに割り付けられた回路がすべて消灯していると判定された場合には割り込み処理して上記壁スイッチの動作モニタのうち消灯モニタを点灯させる消灯モニタ点灯手段と、上記点灯判定手段により上記壁スイッチに割り付けられた回路がすべて点灯していると判定された場合には割り込み処理して上記壁スイッチの動作モニタのうち点灯モニタを点灯させる点灯モニタ点灯手段とを具備したことを特徴とする照明制御システム。」
イ．引用刊行物記載の発明
［１］これに対し、当審が訂正拒絶理由において引用した、刊行物１（特開平２−２５７５９３号公報）には、照明制御システムに関し、「中央処理装置と、単数または複数の照明負荷が接続されこれらの照明負荷をオン／オフ制御する制御回路系を備えた制御端末器と、予め割付けられた制御回路系を介して単数または複数の上記照明負荷をオン／オフする壁スイッチを備えた操作端末器とを、２線の伝送線を介して接続し、これらの間で伝送信号を授受することにより上記各照明負荷の動作を制御する照明制御システム」（特許請求の範囲の第１項）と記載されている。
［２］同じく引用した刊行物３（「リモコン配線器具　レイアウトフリーシリーズ」のカタログ・技術マニュアル、松下電工株式会社配線器具事業部、昭和６２年１１月１日）には、
ａ）フル２線式リモコン配線器具について
「多重伝送で照明器具の遠隔操作や多ヵ所操作、グループ制御、パターン制御（場面の切替）ができ・・・しかも信号線は、汎用電線で配線可能な、２線式（スイッチの個数に関係なく２線配線）のリモコン配線器具です。
●２５６回線までの集中監視・制御
セレクタスイッチ部に２５６回路（６４ｃｈ×４）までの負荷機器の個別スイッチを集中でき管理室など１ヵ所で集中監視・・・できます。
●多ヵ所操作
１つの負荷機器を管理室、各階出入口や手近な壁面などから操作でき、こまめな点滅ができます。」（第２頁左側）、
ｂ）「１グループ（スイッチ１個）当り最大２４回路まで、任意にグループ編成・制御ができます。
●１伝送ユニット当り、負荷機器を１２７グループまで、グループ編成ができます。
●プッシュＯＮ・プッシュＯＦＦ操作で、グループ別の制御ができます。」（第２頁右側）、
ｃ）ＯＦＦ（緑）とＯＮ（赤）の表示用ＬＥＤ（発光ダイオード）を備えたレイアウトフリー用スイッチについて、
「他のスイッチで対象グループ全体をＯＮ・ＯＦＦした場合、負荷の状態となります。
他のスイッチで対象グループの一部をＯＮ・ＯＦＦした場合、表示はかわりません。」（第１９頁中段）、
と記載されている。
ｄ）また、第３頁には、レイアウトフリーシリーズシステム図として、管理室内のセレクタスイッチ部に伝送線を介してリレー制御盤が接続され、このリレー制御盤には複数の照明負荷が接続され、さらに、伝送線には壁面に設けられた複数のレイアウトフリー用スイッチが接続されたシステムが示されている。
ウ．対比・判断
　訂正明細書の請求項１に係る発明（以下、「訂正発明」という。）と刊行物３記載のものとを対比すると、刊行物３記載のものにおける「レイアウトフリー用スイッチ」が訂正発明における「壁スイッチ」に相当し、以下同様に「ＬＥＤ」が「動作モニタ」に、「レイアウトフリーシリーズシステム」が「照明制御システム」に、「グループ編成」が「割り付け」に、それぞれ相当している。
　そして、刊行物３記載のものにおいて、管理室で集中監視・制御を行うとされている以上、管理室にはセレクタスイッチ部を含む主操作盤が設けられており、また、複数の照明負荷は、それぞれ回路に接続されていると捉えるのが相当である。
　さらに、刊行物３記載のものにおいて、レイアウトフリー用スイッチ（壁スイッチ）のＬＥＤ（動作モニタ）によるＯＮ・ＯＦＦ表示に関し、他のスイッチで対象グループ全体をＯＮ・ＯＦＦした場合、負荷の状態となり、他のスイッチで対象グループの一部をＯＮ・ＯＦＦした場合、表示はかわらないとする動作を自動的に実現するのであるから、「壁スイッチの動作モニタが点灯状態である場合には、上記壁スイッチに割り付けられた回路がすべて消灯しているかを判定する消灯判定手段と、壁スイッチの動作モニタが消灯状熊である場合には、上記壁スイッチに割り付けられた回路がすべて点灯しているかを判定する点灯判定手段と、上記消灯判定手段により上記壁スイッチに割り付けられた回路がすべて消灯していると判定された場合には上記壁スイッチの動作モニタのうち消灯モニタを点灯させる消灯モニタ点灯手段、及び、壁スイッチに割り付けられた回路がすべて点灯していると判定された場合には上記壁スイッチの動作モニタのうち点灯モニタを点灯させる点灯モニタ点灯手段」に相当する構成も当然に備えているものと解される。
　したがって、両者は「主操作盤に伝送線を介して照明負荷が接続された複数の回路が接続され、上記伝送線に接続される壁スイッチにより上記複数の回路のうち上記壁スイッチに割り付けられた回路に接続された照明負荷の点灯／消灯を制御可能な照明制御システムにおいて、上記主操作盤は、壁スイッチの動作モニタが点灯状態である場合には、上記壁スイッチに割り付けられた回路がすべて消灯しているかを判定する消灯判定手段と、壁スイッチの動作モニタが消灯状熊である場合には、上記壁スイッチに割り付けられた回路がすべて点灯しているかを判定する点灯判定手段と、上記消灯判定手段により上記壁スイッチに割り付けられた回路がすべて消灯していると判定された場合には上記壁スイッチの動作モニタのうち消灯モニタを点灯させる消灯モニタ点灯手段と、上記点灯判定手段により上記壁スイッチに割り付けられた回路がすべて点灯していると判定された場合には上記壁スイッチの動作モニタのうち点灯モニタを点灯させる点灯モニタ点灯手段とを具備したことを特徴とする照明制御システム」である点で一致し、
１）「照明負荷が接続された複数の回路」の伝送線に対する接続に関し、訂正発明が、「少なくとも照明制御用端末器が接続され、この照明制御用端末器に」接続される構成としたのに対し、刊行物３記載のものは、リレー制御盤が接続され、このリレー制御盤に接続された構成である点（以下、「相違点１」という。）、
２）訂正発明が、「壁スイッチに設けられた動作モニタの点灯／消灯状態を記憶する記憶手段」を有するのに対し、刊行物３は、かかる記憶手段について言及されていない点（以下、「相違点２」という。）、
３）訂正発明が、割り込み処理して消灯モニタあるいは点灯モニタを点灯させるのに対し、刊行物３は、かかる割り込み処理について言及されていない点（以下、「相違点３」という。）、
で相違している。
　以下、上記相違点について検討する。
相違点１について
　刊行物１には、中央処理装置（主操作盤に相当）に伝送線を介して、複数の照明負荷をオン／オフ制御する制御回路系（回路に相当）を備えた制御端末器（照明制御用端末器に相当）が接続された構成を有する照明制御システムが記載されているところから、実質的に、主操作盤に伝送線を介して少なくとも照明制御用端末器が接続され、この照明制御用端末器には照明負荷が接続された複数の回路が接続された構成を有する照明制御システムが開示されている。
　かかる構成を、同一技術分野に属する刊行物３に記載のものに採用することは、当業者にとって容易である。
相違点２について
　刊行物３記載の発明においても、まず壁スイッチに設けられた動作モニタの点灯／消灯状態を認識し、次に該認識結果に基いて消灯及び点灯判定手段が判定をするという一連の動作を伴うものと解されるところから、上記点灯／消灯状態について何等かの認識可能な手段を備えているものと認められるが、かかる手段として記憶手段を採用することにより、動作性能上、新たに格別の効果を奏するものとも認められない。
　したがって、相違点２は、単なる設計的事項に相当するものであり、刊行物３記載の発明において、壁スイッチに設けられた動作モニタの点灯／消灯状態を記憶する記憶手段を具備させるようにすることも任意である。
相違点３について
　一般に、集中管理システムの分野において、所望の制御信号を割り込み処理により扱うことは周知慣用の技術であるから、刊行物３記載の発明において、消灯モニタあるいは点灯モニタの点灯制御を割り込み処理により行うことは、当業者が必要に応じて適宜なし得るところである。
　そして、訂正発明により奏される効果は、上記各刊行物記載の発明及び周知慣用技術から予測しうる範囲のものである。
　したがって、訂正発明は、上記各刊行物記載の発明及び周知慣用技術に基いて当業者が容易に発明をすることができたものであり、特許法第２９条第２項の規定により特許出願の際独立して特許を受けることができないものである。
エ．むすび
　以上のとおりであるから、上記訂正は、特許法第１２０条の４第３項の規定において準用する第１２６条第４項の規定に適合しないので、当該訂正は認められない。
　
（３）特許異議の申立てについて
ア．本件発明
　特許第２９０６６６０号の請求項１に係る発明（以下、「本件発明」という。）は、特許請求の範囲の請求項１に記載された次の事項により特定されるとおりのものである。
「主操作盤に伝送線を介して少なくとも照明制御用端末器が接続され、この照明制御用端末器には照明負荷が接続された複数の回路が接続され、上記伝送線に接続される壁スイッチにより上記複数の回路のうち上記壁スイッチに割り付けられた回路に接続された照明負荷の点灯／消灯を制御可能な照明制御システムにおいて、上記壁スイッチに設けられた動作モニタの点灯／消灯状態を記憶する記憶手段と、上記記憶手段により壁スイッチの動作モニタが点灯状態である場合には、上記壁スイッチに割り付けられた回路がすべて消灯しているかを判定する消灯判定手段と、上記記億手段により壁スイッチの動作モニタが消灯状態である場合には、上記壁スイッチに割り付けられた回路がすべて点灯しているかを判定する点灯判定手段と、上記消灯判定手段により上記壁スイッチに割り付けられた回路がすべて消灯していると判定された場合には上記壁スイッチの動作モニタのうち消灯モニタを点灯させる消灯モニタ点灯手段と、上記点灯判定手段により上記壁スイッチに割り付けられた回路がすべて点灯していると判定された場合には上記壁スイッチの動作モニタのうち点灯モニタを点灯させる点灯モニタ点灯手段とを貝備したことを特徴とする照明制御システム。」
イ．引用刊行物
　当審が通知した取消理由に引用した刊行物１及び３には、上記（２）イ．において指摘した事項が記載されている。
ウ．対比・判断
　本件発明と刊行物３記載の発明とを対比すると、両者は、上記（２）ウ．で指摘した相違点１及び２が存在するものの、その余の点で一致している。
　しかしながら、上記（２）ウ．での検討内容と同様の理由により、本件発明は、上記各刊行物記載の発明に基いて当業者が容易に発明をすることができたものである。
エ．むすび
　以上のとおり、本件発明についての特許は、特許法第２９条第２項の規定に違反してなされたものであるから、特許法第１１３条第２号に該当し、取り消すべきものである。
　よって、結論のとおり決定する。
【異議決定日】
平成１３年１月４日（２００１．１．４）